(57)【特許請求の範囲】
【請求項１】
パチンコ遊技機の遊技盤に装着される遊技機器を検査するために遊技機器を着脱可能で且つ治具循環搬送路に装備される遊技機器検査設備の検査用パレット治具において、
前記治具循環搬送路に沿って移動可能にガイドされる治具ベースと、
前記治具ベースに装着され前記治具循環搬送路の搬送路面を転動可能な複数のキャスターと、
前記遊技機器を着脱可能で前記遊技盤の原板と同構造の遊技盤原板と、
前記遊技盤原板に装着された遊技機器を前記遊技盤に実装する姿勢と同じ起立姿勢と倒伏姿勢とに亙って起倒可能に遊技盤原板を治具ベースに連結する起倒機構と、
前記遊技盤原板に装着された遊技機器を固定解除可能に固定するロック手段と、
前記遊技盤原板を着脱可能な保持枠とを備え、
前記起倒機構は、前記保持枠を起倒可能に治具ベースに連結し、前記保持枠の幅方向両端側に配置されて治具ベースに立設された１対の支持脚と、１対の中間支持部材と、この１対の中間支持部材に前記保持枠の幅方向両端部の長さ方向中間部分を水平軸心回りに回動自在に支持する１対の軸部材と、前記１対の支持脚と１対の中間支持部材とを夫々連結する１対の平行リンク機構とを有し、１対の中間支持部材を１対の平行リンク機構を介して上下動させながら保持枠を１対の軸部材を中心として回動させて起倒させる、
ことを特徴とする遊技機器検査設備の検査用パレット治具。
【発明の詳細な説明】
【技術分野】
【０００１】
本発明は、パチンコ遊技機の遊技盤に装着される液晶ユニット等の遊技機器を検査する遊技機器検査設備の検査用パレット治具に関するものである。
【背景技術】
【０００２】
従来、パチンコ遊技機は、遊技ホールの島構造体に固定される外枠、外枠に回動自在に枢支された開閉枠（内枠）、開閉枠に取付けられた遊技盤、遊技盤の前側を開閉可能に開閉枠に回動自在に枢支された開閉扉を備え、遊技盤には、ガイドレール、障害釘、風車、各種入賞口、遊技表示器等の他、液晶ユニット（演出ユニット）が装着されている。
【０００３】
近年のパチンコ遊技機において、外枠、開閉枠、開閉扉は複数機種に共通に構成できる一方、遊技盤（液晶ユニット）は複数機種に個別の構成になる。液晶ユニットは、パチンコ遊技機の非常に重要な役割を担う遊技機器であり、液晶ベース、液晶ディスプレイ、可動役物、各種制御基板を含む遊技制御装置等で構成されている。
【０００４】
従来、パチンコ遊技機の新機種は、その受注を受けて或いは見込んで多数製造され、その際、多数のパチンコ遊技機に搭載する多数の液晶ユニットの検査が必要になるが、本願出願人は、液晶ユニットを遊技盤に装着する前に、多数の液晶ユニットを纏めて検査するようにしている。ここで、図２１、図２２に本願出願人が実施の液晶ユニットを検査する従来設備を示している。
【０００５】
この液晶ユニット検査設備２００では、ベルトコンベア２０１が配設され、そのベルトコンベア２０１に沿って間隔を空けて複数の検査ステージ２０２が配設され、各検査ステージ２０２には検査テーブル２０３上に検査用治具２０４が設置されている。検査用治具２０４は、ベース部材２０５と、ベース部材２０５に水平軸心回りに回動自在に連結されたユニット装着部材２０６とを備えている。
【０００６】
複数の液晶ユニット２１０が、順次、ベルトコンベア２０１の搬送方向上流側に投入され、そこで、液晶ユニット２１０はベルトコンベア２０１上に倒伏姿勢で直に載置される。各検査ステージ２０２の作業者が、ベルトコンベア２０１から液晶ユニット２１０を担いで検査用治具２０４に移載し、そこで、図２２に実線で示すように、液晶ユニット２１０を作業者側（図２２の右側）に向けた鉛直姿勢でユニット装着部材２０６に装着する。
【０００７】
次に、図２２に仮想線で示すように、液晶ユニット２１０をユニット装着部材２０６と共に９０度反転させ倒伏姿勢に切換えてから、液晶ユニット２１０に検査接続端子（図示略）を接続し、その後再度、図２２に実線で示すように、液晶ユニット２１０をユニット装着部材２０６と共に９０度反転させ鉛直姿勢に切換えてから各種検査を行い、その後、液晶ユニット２１０から検査接続端子を分離し、液晶ユニット２１０を担いでユニット装着部材２０６から取外してベルトコンベア２０１に移載する。
【０００８】
一方、特許文献１には、パチンコ遊技機の遊技盤を搬送する遊技盤搬送装置が開示されている。この遊技盤搬送装置では、遊技盤を搬送する上下２段のコンベアが２組並設されている。各組の上下２段のコンベアは搬入コンベアと搬出コンベアである。２組のコンベアに沿ってその両サイドに複数の釘打ち装置が間隔を空けて配設され、各釘打ち装置に搬入コンベアから遊技盤が搬入され、釘打ち後、釘打ち装置から搬出コンベアに遊技盤が搬出され、その搬入・搬出のために複数の水平シリンダが設けられている。
【０００９】
特許文献２には、パチンコ遊技機の製造ラインが開示されている。この製造ラインには、パチンコ遊技機の内枠や遊技盤等の遊技機部材をコンベアで搬送し、その搬送途中で、遊技機部材を起倒させる起倒装置や遊技機部材を立向姿勢で鉛直軸心回りに反転させる反転装置が装備され、各種部品の組付けに適した姿勢に切換えることができる。起倒装置は、搬送台に倒伏姿勢で載置された遊技機部材を、その両端側からシリンダにより挟持して起倒ベースに固定し、更に別のシリンダにより起倒ベースと共に起立させる。
【００１０】
特許文献３には、パチンコ遊技機の組立や解体を行うために、パチンコ遊技機を装着して姿勢を切換え可能な治具が開示されている。この治具は、外枠フレーム、外枠フレームに水平軸心回りに枢支された内枠フレーム、内枠フレームにパチンコ遊技機の内枠を固定するロック機構を備えている。この治具の外枠フレームが倒伏姿勢で１対のレールに載置され搬送される。内枠フレームには反転操作用のレバーが取付けられ、そのレバーが外枠フレームに形成された１対の切欠部に択一的に係合して、内枠フレームの位置が保持される。別実施例には、前記治具をキャスター付きの台車に設けたものが開示されている。
【先行技術文献】
【特許文献】
【００１１】
【特許文献１】特開平１１−１２８４５７号公報
【特許文献２】特開平１１−２４４４６１号公報
【特許文献３】特開２００２−１８６７１６号公報
【発明の概要】
【発明が解決しようとする課題】
【００１２】
図２１、図２２に示す液晶ユニット検査設備では、各検査ステージの作業者が、液晶ユニットを担いでベルトコンベアから検査ステージに移載して検査用治具に装着しなければならないし、検査後も、液晶ユニットを担いで検査用治具から取外して検査ステージからベルトコンベアに移載しなければならない。液晶ユニットは比較的重いものであり、液晶ユニットを上記作業の際に慎重に取扱うことも要求される。故に、液晶ユニットを検査する作業負荷が大きくなり、作業能率を高めることが困難になる。
【００１３】
また、液晶ユニットをベルトコンベアに直に載置するため、液晶ユニットが損傷する虞が高くなる。そこで、液晶ユニットを搬送台に載せてベルトコンベアで搬送することも可能である。しかし、液晶ユニットの形状・サイズは機種によって異なるため、製造するパチンコ遊技機の機種が変わる度に、その機種の液晶ユニットに応じた搬送台を複数製作する必要がある。複数の検査ステージに設置されている検査用治具についても同様であり、機種毎に液晶ユニットに応じた検査用治具を複数製作する必要があり、その製作費が高価になる。つまり、設備コストが高価になる。
【００１４】
尚、特許文献１の技術では、パチンコ遊技機の遊技盤に釘打ちを行うために遊技盤を搬送するが、特に治具を用いて行うものではない。特許文献２の技術では、パチンコ遊技機の内枠や遊技盤等の遊技機部材を搬送し、その搬送途中で、遊技機部材を起倒させる起倒装置や遊技機部材を立向姿勢で鉛直軸心回りに反転させる反転装置が装備されているが、その起倒装置や反転装置は非常に大掛かりな装置である。
【００１５】
特許文献３の技術では、パチンコ遊技機の組立や解体を行うために、パチンコ遊技機を治具に装着して姿勢を切換えることができ、その治具をパチンコ遊技機と共に１対のレールで搬送することができる。この治具に液晶ユニット（遊技機器）を装着し、図２１、図２２に示す液晶ユニット検査設備に適用した場合でも、この液晶ユニットと共に治具を担いで、ベルトコンベアから検査ステージへ移載し、検査ステージからベルトコンベアに移載する作業は必要であるため、作業負荷を軽減できずむしろ増大させることになる。
【００１６】
特許文献３の別実施例には、前記治具をキャスター付きの台車に設けたものが開示されているが、その台車は、治具の内枠フレームを水平軸心回りに回動可能にするために大型になる。また、この治具は、１対のレールを排除する代わりとして、台車に設けられものであり、他の搬送設備と協働してパチンコ遊技機を搬送するものではない。
【００１７】
本発明の目的は、遊技機器を検査する作業負荷を軽減し、作業能率を向上させ、汎用性が高く、設備コストを安価にする、遊技機器検査設備の検査用パレット治具を提供することである。
【課題を解決するための手段】
【００１８】
請求項１の発明は、パチンコ遊技機(1)の遊技盤(4)に装着される遊技機器(20)を検査するために遊技機器(20)を着脱可能で且つ治具循環搬送路(40)に装備される遊技機器検査設備(S)の検査用パレット治具(31A)において、前記治具循環搬送路(40)に沿って移動可能にガイドされる治具ベース(50)と、前記治具ベース(50)に装着され前記治具循環搬送路(40)の搬送路面(42)を転動可能な複数のキャスター(51)と、前記遊技機器(20)を着脱可能で前記遊技盤(4)の原板と同構造の遊技盤原板(52)と、前記遊技盤原板(52)に装着された遊技機器(20)を前記遊技盤(4)に実装する姿勢と同じ起立姿勢と倒伏姿勢とに亙って起倒可能に遊技盤原板(52)を治具ベース(50)に連結する起倒機構(55A)と、前記遊技盤原板(52)に装着された遊技機器(20)を固定解除可能に固定するロック手段(54)と、前記遊技盤原板(52)を着脱可能な保持枠(53)とを備え、前記起倒機構(55A)は、前記保持枠(53)を起倒可能に治具ベース(50)に連結し、前記保持枠(53)の幅方向両端側に配置されて治具ベース(50)に立設された１対の支持脚(100)と、１対の中間支持部材(101)と、この１対の中間支持部材(101)に前記保持枠(53)の幅方向両端部の長さ方向中間部分を水平軸心回りに回動自在に支持する１対の軸部材(102)と、前記１対の支持脚(100)と１対の中間支持部材(101)とを夫々連結する１対の平行リンク機構(103)とを有し、１対の中間支持部材(101)を１対の平行リンク機構(103)を介して上下動させながら保持枠(53)を１対の軸部材(102)を中心として回動させて起倒させることを特徴とする。
【発明の効果】
【００２６】
本発明の遊技機器検査設備の検査用パレット治具によれば、遊技機器が装着された遊技盤原板を着脱可能な保持枠を起倒させて遊技機器を容易に確実に検査することができるので、遊技機器を検査する作業負荷を軽減することができる。
【図面の簡単な説明】
【００２７】
【図１】本発明の実施例に係る遊技機器検査設備の平面図である。
【図２】遊技機器検査設備の側面図である。
【図３】遊技機器検査設備の稼働時の平面図である。
【図４】遊技機器検査設備の制御系のブロック図である。
【図５】実施例１の検査用パレット治具の平面図である。
【図６】図５の検査用パレット治具の正面図である。
【図７】図５の検査用パレット治具の側面図である。
【図８】キャスター転動面の要部を示す断面図である。
【図９】検査用パレット治具と第１押動機構等の図である。
【図１０】検査用パレット治具と第２押動機構等の図である。
【図１１】検査用パレット治具と第２押動機構等の図である。
【図１２】検査用パレット治具と第３押動機構等の図である。
【図１３】検査設備制御装置が実行するシリンダ制御のフローチャートである。
【図１４】実施例２の検査用パレット治具の平面図である。
【図１５】図１４の検査用パレット治具の正面図である。
【図１６】図１４の検査用パレット治具の遊技盤原板が倒伏姿勢の側面図である。
【図１７】図１４の検査用パレット治具の遊技盤原板が倒伏姿勢と起立姿勢の間の姿勢の側面図である。
【図１８】図１４の検査用パレット治具の遊技盤原板が起立姿勢の側面図である。
【図１９】パチンコ遊技機の正面図である。
【図２０】パチンコ遊技機の背面図である。
【図２１】従来技術に係る遊技機器検査設備の平面図である。
【図２２】従来技術に係る検査ステージの検査用治具等を示す図である。
【発明を実施するための形態】
【００２８】
本発明の遊技機器検査設備は、パチンコ遊技機の遊技盤に装着される同一機種の遊技機器である液晶ユニットを多数纏めて検査する設備であり、その一部を変更して異なる機種の液晶ユニットを検査できる設備になる。以下、遊技機器検査設備について実施例に基づいて説明する。
【実施例１】
【００２９】
先ず、パチンコ遊技機１について簡単に説明する。
図１９、図２０に示すように、パチンコ遊技機１は、遊技ホールの島構造体に固定される外枠２、外枠２に回動自在に枢支された開閉枠３（内枠３）、開閉枠３に取付けられた遊技盤４、遊技盤４の前側を開閉可能に開閉枠３に回動自在に枢支された透明板５ａを有する開閉扉５を備えている。開閉扉５には貯留皿６と発射ハンドル７が装着されている。
【００３０】
遊技盤４には、ガイドレール１０、多数の障害釘１１、風車１２、第１始動口１３ａと開閉式の第２始動口１３ｂとを有する始動口装置１３、ゲート１４、開閉式の大入賞口１５ａを有する大入賞口装置１５、複数の一般入賞口１６、センタ役物装置１７、遊技表示器１８が図示の配置で装着されている。
【００３１】
センタ役物装置１７は装飾枠１９と液晶ユニット２０（演出ユニット２０）とを備え、装飾枠１９は、遊技盤４に形成されたセンタ開口４ａに前側から嵌合状に装着されている。液晶ユニット２０は、液晶ベース２１、液晶ディスプレイからなる画像表示器２２、可動役物２３（可動ギミック２３）、各種制御基板を含む遊技制御装置２４等を備え、これらを組立ててユニット化され、画像表示器２２の画面が装飾枠１９の内側（センタ開口４ａ）に臨むように遊技盤４に後側から装着されている。
【００３２】
本発明の遊技機器検査設備Ｓは、パチンコ遊技機１の遊技盤４に装着される同一機種の遊技機器である液晶ユニット２０を多数纏めて検査する設備である。ここで、遊技盤４（液晶ユニット２０）は複数機種に個別の構成であるが、本発明の遊技機器検査設備Ｓは、その一部を変更して異なる機種の液晶ユニットを検査できる設備になる。
【００３３】
遊技機器検査設備Ｓについて説明する。尚、図１、図２、図５〜図７に矢印で示す前方・左方・上方を前方・左方・上方として説明する。
【００３４】
図１〜図１２に示すように、遊技機器検査設備Ｓは、治具循環搬送路４０を形成するベース台３０、複数（９個）の検査用パレット治具３１、投入ステージ３２、検査ステージ３３、回収ステージ３４、第１，第２，第３治具押動機構３５，３６，３７、検査設備制御装置３８を備え、複数の検査用パレット治具３１が治具循環搬送路４０に装備されて治具循環搬送路４０に沿って循環搬送され、投入ステージ３２、検査ステージ３３、回収ステージ３４が治具循環搬送路４０に沿って装備されている。
【００３５】
ベース台３０は複数のフレーム部材を連結して平面視にて左右長が前後長よりも長い矩形に形成され、このベース台３０の上部に治具循環搬送路４０が形成されている。治具循環搬送路４０は、複数の検査用パレット治具３１のフリーボールキャスター５１が転動可能（つまり、複数の検査用パレット治具３１が走行可能）で且つ複数の検査用パレット治具３１をガイドして循環搬送可能に形成されている。
【００３６】
治具循環搬送路４０は、各検査用パレット治具３１が滞在可能な平面視矩形の搬送区画４１（４１ａ〜４１ｊ）を複数（１０個）並べて矩形環状の搬送路に構成されている。詳細は、５個の搬送区画４１を左右方向に直列状に配置して繋げ、この５個の搬送区画４１を２組前後に並設して合計１０個とし、この２組の左右両端の搬送区画４１ａ，４１ｊ／４１ｅ，４１ｆ同士を前後方向に繋げた構成になっている。
【００３７】
治具循環搬送路４０は、検査用パレット治具３１のフリーボールキャスター５１が転動する搬送路面４２を有し、この搬送路面４２が複数のフレーム部材の上面に形成されるとともに、検査用パレット治具３１の治具ベース５０をガイド可能に搬送路面４２の周囲から立上がる矩形枠状の周壁４３と中央隔壁４４とを有する。
【００３８】
図２、図３、図５〜図７に示すように、複数の検査用パレット治具３１は、夫々、治具ベース５０、複数（４個）のフリーボールキャスター５１、遊技盤原板５２、保持枠５３、１対のロック機構５４、起倒機構５５を備え、液晶ユニット２０を遊技盤原板５２に着脱可能で且つ液晶ユニット２０を遊技盤原板５２に装着した状態で遊技盤４に実装する姿勢と同じ起立姿勢（図５〜図７に実線で示す姿勢）と倒伏姿勢（図６、図７に仮想線で示す姿勢）とに亙って切換え可能に構成されている。尚、検査用パレット治具３１の構造の説明では、図５〜図７に実線で示す状態での前方・上方を前方・上方として説明する。
【００３９】
治具ベース５０は、複数のフレーム部材５０ａ，５０ｂ，５０ｃを枠状に組んで平面視矩形に且つ治具循環搬送路４０の各搬送区画４１と略同サイズに形成され、この治具ベース５０が治具循環搬送路４０に沿って移動可能に周壁４３と中央隔壁４４によりガイドされる。４個のフリーボールキャスター５１は、この平面視矩形の治具ベース５０の４つの頂部に位置するように、治具ベース５０の下面部に装着されている。
【００４０】
ここで、図１、図８に示すように、治具循環搬送路４０は、その搬送路面４２に設けられ各検査用パレット治具３１のフリーボールキャスター５１が転動する複数の合成樹脂製のキャスター転動面４５，４６を有する。左右方向に直列配置された搬送区画４１ａ〜４１ｅ、同様に配置された搬送区画４１ｆ〜４１ｊに夫々亙って２本の左右方向に延びるキャスター転動面４５が設けられ、前後方向に直列配置された搬送区画４１ａ，４１ｊ、同様に配置された搬送区画４１ｅ，４１ｆに夫々亙って２本の前後方向に延びるキャスター転動面４６が設けられている。
【００４１】
キャスター転動面４５，４６は、搬送区画４１ａ，４１ｅ，４１ｆ，４１ｊにおいて交差し、各検査用パレット治具３１の複数のフリーボールキャスター５１の全てが、常にキャスター転動面４５，４６に載置される。
【００４２】
複数のキャスター転動面４５，４６は複数の合成樹脂製の細長いレール部材の上面に形成され、この複数のレール部材が搬送路面４２を形成する複数のフレーム部材に形成された溝に装着されている。治具循環搬送路４０の各角部搬送区画４１ａ，４１ｅ，４１ｆ，４１ｊに検査用パレット治具３１を位置決め可能に、各角部搬送区画４１ａ，４１ｅ，４１ｆ，４１ｊにはフリーボールキャスター５１が嵌合する窪み部４７（図８参照）がキャスター転動面４５，４６に形成されている。
【００４３】
各角部搬送区画４１ａ，４１ｅ，４１ｆ，４１ｊにおいて、キャスター転動面４５，４６の４つの交差部分（つまり、各角部搬送区画４１ａ，４１ｅ，４１ｆ，４１ｊに滞在する検査用パレット治具３１の４個のフリーボールキャスター５１が載っている部分）の全てに窪み部４７を形成してもよいが、４つの交差部分の少なくとも１つの交差部分に窪み部４７を形成すればよい。
【００４４】
図２、図３、図５〜図７に示すように、遊技盤原板５２は、遊技盤４の原板（つまり、前記遊技盤４にガイドレール１０、多数の障害釘１１、風車１２・・・等を装着する前のもの）と同構造のものであり、パチンコ遊技機１の製造にあたって量産された多数の遊技盤４の原板の１つを各検査用パレット治具３１の遊技盤原板５２として使用できる。
【００４５】
つまり、遊技盤原板５２には、遊技盤４のセンタ開口４ａと同じセンタ開口５２ａが形成されている。尚、図３、図５では、センタ開口５２ａを便宜上楕円形としているが、実際は液晶ユニット２０( センタ役物装置１７) に応じた多少複雑な形状である。遊技盤原板５２は裏面を上方へ向けて保持枠５３に着脱可能に装着されている。保持枠５３は４本の断面コ字状のフレーム部材５３ａ，５３ｂを枠状に組んで形成され、各フレーム部材５３ａ，５３ｂに遊技盤原板５２の一端縁が係合されている。
【００４６】
１対のロック機構５４は、遊技盤原板５２に装着された液晶ユニット２０を固定解除可能に固定するロック手段である。例えば、各ロック機構５４には周知のトグルクランプ機構が採用され、一方のロック機構５４で倒伏姿勢における液晶ユニット２０の左部且つ前部を遊技盤原板５２の上面（裏面）にクランプ可能に、他方のロック機構５４で液晶ユニット２０の右部且つ後部を遊技盤原板５２の上面にクランプ可能に、１対のロック機構５４は保持枠５３に取付けられている。尚、１対のロック機構５４の少なくとも一方を遊技盤原板５２に取付けてもよい。
【００４７】
起倒機構５５は、遊技盤原板５２に装着された液晶ユニット２０を遊技盤４に実装する姿勢と同じ起立姿勢と倒伏姿勢とに亙って、遊技盤原板５２及び保持枠５３と共に起倒可能に保持枠５３を治具ベース５０に連結する機構であり、左右１対の脚部６０、左右１対の軸部材６１、左右１対の起立姿勢保持部材６２、左右１対の倒伏姿勢保持部材６３を有する。
【００４８】
１対の脚部６０は、保持枠５３の左右両端側に配置されて、治具ベース５０の１対のフレーム部材５０ａにその前後方向中央部分から立設され、この１対の脚部６０の上端部分に、保持枠５３の１対のフレーム部材５３ａの前後方向中央部分（長さ方向中間部分）が１対の左右方向向きの軸部材６１により水平軸心回りに回動自在に支持されている。
【００４９】
１対の起立姿勢保持部材６２は、治具ベース５０のフレーム部材５０ｃに設けられ、起立姿勢の保持枠５３の下端部に係合して、保持枠５３を起立姿勢に保持する。１対の倒伏姿勢保持部材６３は、治具ベース５０の前側のフレーム部材５０ｂから立設され、倒伏姿勢の保持枠５３の前端部分を下側から支持して、保持枠５３を倒伏姿勢に保持する。倒伏姿勢保持部材６３の上端部には干渉ゴム６３ａが取付けられている。保持枠５３の前側のフレーム部材５３ｂには、保持枠５３の起倒操作用の把手６４が取付けられている。
【００５０】
図１〜図３に示すように、投入ステージ３２は、検査用パレット治具３１に液晶ユニット２０を装着する作業を行い、その際、液晶ユニット２０の最終的な組立も行うステージである。即ち、倒伏姿勢の遊技盤原板５２の上面に可動役物２３を組付けた液晶ベース２１を装着して１対のクランプ機構５４で固定し、次に、液晶ベース２１に遊技制御装置２４を組付けた画像表示器２２をビスで取付ける。そのために、投入ステージ３２には、ベース台３０上の投入設備フレーム３０ａに電動ドライバー６５が配備されている。
【００５１】
検査ステージ３３は、検査用パレット治具３１に装着された液晶ユニット２０の姿勢を切換えて液晶ユニット２０を検査する作業を行うステージである。検査ステージ３３には、ベース台３０上の検査設備フレームＳｂに検査機７０が設置され、ベース台３０に検査操作器７１が設置され、検査機７０から延びるコード７２に検査接続端子７３が接続されている。検査ステージ３３の検査では、液晶ユニット２０の遊技制御装置２４の接続端子（図示略）に検査接続端子７３を接続してから検査操作器７１を操作して、液晶ユニット２０の所定の機能（動作）が正常か否か確認し、その後、検査接続端子７３を分離する。
【００５２】
回収ステージ３４は、検査用パレット治具３１から検査済みの液晶ユニット２０を取外して回収する作業を行うステージである。ここで、液晶ユニット２０は、分解することなく回収され、その後、梱包されてパチンコ遊技機１の最終組立てが行われる場所へ搬送される。
【００５３】
図１、図９に示すように、第１治具押動機構３５は、治具循環搬送路４０の複数の搬送区画４１のうち投入ステージ３２と隣接する所定の搬送区画４１ａに滞在する検査用パレット治具３１の治具ベース５０から下方へ突出する被押動部５６に係合して、その検査用パレット治具３１を右方へ、つまり搬送方向下流側の搬送区画４１ｂへ押動する第１エアシリンダ７５を有する。
【００５４】
第１エアシリンダ７５は搬送区画４１ａの下側においてベース台３０に右向きに取付けられ、第１治具押動機構３５は、第１エアシリンダ７５の出力部７６に被押動部５６に係合可能に支持された係合部材７７を有する。第１エアシリンダ７５が退入状態のとき、搬送区画４１ｊから搬送区画４１ａへ前方へ搬送されてきた検査用パレット治具３１の被押動部５６は、係合部材７７と接触することなくその直ぐ右側に到達する。
【００５５】
そして、搬送区画４１ａの搬送方向下流側の４つの搬送区画４１ｂ〜４１ｅのうちの１つに検査用パレット治具３１が滞在していない状態で、第１エアシリンダ７５が伸長駆動されると、搬送区画４１ａの検査用パレット治具３１が搬送区画４１ｂに搬送され、このとき、搬送区画４１ａの検査用パレット治具３１を含めて、その搬送方向下流側の搬送区画４１ｂ〜４１ｅに連続的に検査用パレット治具３１が存在している場合には、それら複数の検査用パレット治具３１が纏めて搬送方向下流側へ押動される。
【００５６】
図１、図１０、図１１に示すように、第２治具押動機構３６は、治具循環搬送路４０の直列状に並ぶ複数の搬送区画４１ｆ〜４１ｊのうちその両端の搬送区画４１ｆ，４１ｊ以外の所定の中間部搬送区画４１ｇに滞在する検査用パレット治具３１の治具ベース５０から下方へ突出する被押動部５６に係合して、その検査用パレット治具３１を左方へ、つまり搬送方向下流側の搬送区画４１ｈへ押動する第２エアシリンダ８０を有する。
【００５７】
第２エアシリンダ８０は搬送区画４１ｆ，４１ｇの下側においてベース台３０に左向きに取付けられ、第２治具押動機構３６は、第２エアシリンダ８０の出力部８１に被押動部５６に係合可能な係合位置（図１０に仮想線で示す位置）と係合位置から被押動部５６により傾倒されて被押動部５６が通過可能な通過位置（図１０に実線で示す位置）とに亙って回動可能に支持された係合部材８２と、この係合部材８２を係合位置に付勢する付勢部材８３（例えば、捩じりバネ８３）とを有する。
【００５８】
つまり、図１０に示すように、第２エアシリンダ８０が退入状態のとき、搬送区画４１ｆから搬送区画４１ｇへ左方へ搬送される検査用パレット治具３１の被押動部５６が、係合位置の係合部材８２と接触して係合部材８２を通過位置へ前傾させながら通過し、完全に通過すると、係合部材８２が通過位置から係合位置へ復帰し、搬送区画４１ｇの検査用パレット治具３１の被押動部５６は、係合部材８２の直ぐ左側に到達した状態になる。
【００５９】
そして、搬送区画４１ｇの搬送方向下流側の３つの搬送区画４１ｈ〜４１ｊのうちの搬送区画４１ｊに検査用パレット治具３１が滞在していない状態で、第２エアシリンダ８０が伸長駆動されると、搬送区画４１ｇを含む搬送区画４１ｇ〜４１ｉに滞在している複数の検査用パレット治具３１が纏めて搬送方向下流側へ押動される。このように、第２治具押動機構３６は、治具循環搬送路４０の複数の搬送区画４１のうち所定の角部搬送区画４１ｊに検査用パレット治具３１を押動する第２の治具押動機構に相当する。
【００６０】
図１、図１２に示すように、第３治具押動機構３７は、治具循環搬送路４０の複数の搬送区画４１のうち所定の搬送区画４１ｊに滞在する検査用パレット治具３１の治具ベース５０から下方へ突出する被押動部５６に係合して、その検査用パレット治具３１を前方へ、つまり搬送方向下流側の搬送区画４１ａへ押動する第３エアシリンダ８５を有し、つまり、治具循環搬送路４０の複数の搬送区画４１のうち所定の角部搬送区画４１ｊから検査用パレット治具３１を押動する第１の治具押動機構に相当する。
【００６１】
第３エアシリンダ８５は搬送区画４１ｊの下側においてベース台３０に前向きに取付けられ、第３治具押動機構３７は、第３エアシリンダ８５の出力部８６に被押動部５６に係合可能に支持された係合部材８７を有する。第３エアシリンダ８５が退入状態のとき、搬送区画４１ｉから搬送区画４１ｊへ左方へ搬送されてきた検査用パレット治具３１の被押動部５６は、係合部材８７と接触することなくその直ぐ前側に到達する。
【００６２】
そして、搬送区画４１ｊの搬送方向下流側の搬送区画４１ａに検査用パレット治具３１が滞在していない状態で、第３エアシリンダ８５が伸長駆動されると、搬送区画４１ｊの検査用パレット治具３１が搬送区画４１ａに搬送される。
【００６３】
次に、遊技機器検査設備Ｓの制御系について説明する。
図４に示すように、検査設備制御装置３８には、操作盤９０、第１，第２，第３治具検出センサ９１，９２，９３、第１，第２シリンダ作動ＳＷ９４，９５（尚、「ＳＷ」はスイッチを意味する）、検査数カウントＳＷ９６、第１，第２，第３エアシリンダ７５，８０，８５を駆動する為のシリンダ駆動部７５ａ，８０ａ，８５ａ、検査管理表示器９７、検査ステージ３３の検査機７０が接続されている。
【００６４】
検査設備制御装置３８は、第１，第２，第３治具検出センサ９１，９２，９３、第１，第２シリンダ作動ＳＷ９４，９５等からの信号に基づいて第１，第２，第３エアシリンダ７５，８０，８５を制御し、また、操作盤９０、検査数カウントＳＷ９６等からの信号に基づいて検査管理表示器９７を制御する。検査設備制御装置３８は検査機７０との間で各種情報を通信できるが、検査機７０と検査設備制御装置３８とは接続しなくてもよい。操作盤９０では、検査管理表示器９７に表示する計画（検査予定数）を入力できる。
【００６５】
第１治具検出センサ９１は、搬送区画４１ｂ又は４１ｃに検査用パレット治具３１が滞在しているか否か検出する治具検出手段であり、第２治具検出センサ９２は、搬送区画４１ａに検査用パレット治具３１が滞在しているか否か検出する治具検出手段であり、第３治具検出センサ９３は、搬送区画４１ｊに検査用パレット治具３１が滞在しているか否か検出する治具検出手段である。
【００６６】
第１，第２，第３治具検出センサ９１，９２，９３は、夫々、搬送区画４１ｂ又は４１ｃ，４１ａ，４１ｊ側に向けてベース台３０に設置された発光部と受光部を有する反射光感知型の光学センサからなる。第１シリンダ作動ＳＷ９４は、第１エアシリンダ７５の作動を指令するＳＷであり、第２シリンダ作動ＳＷ９５は、第２，第３エアシリンダ８０，８５の作動を指令するＳＷである。第１，第２シリンダ作動ＳＷ９４，９５は、投入ステージ３２で操作可能にベース台３０に設置されている。
【００６７】
検査設備制御装置３８は、第１治具検出センサ９１で検査用パレット治具３１が検出されたことを条件として第１治具押動機構３５を作動禁止し、第２治具検出センサ９２で検査用パレット治具３１が検出されたことを条件として第３治具押動機構３７を作動禁止し、第３治具検出センサ９３で検査用パレット治具３１が検出されたことを条件として第２治具押動機構３６を作動禁止する。尚、検査設備制御装置３８が実行する前記作動禁止制御を含むシリンダ制御は図１３に示す通りである。
【００６８】
図１３に示すように、このシリンダ制御では、先ず、第１シリンダ作動ＳＷ９４がオンか否か判定され（Ｓ１）、Ｓ１の判定がYes の場合、第１治具検出センサ９１がオンか否か判定される（Ｓ２）。Ｓ２の判定がNoの場合、第１エアシリンダ７５が進退駆動され（Ｓ３）、Ｓ４へ移行する。Ｓ１の判定がNo又はＳ２の判定がYes の場合、第１エアシリンダ７５が作動禁止され、Ｓ４へ移行する。
【００６９】
次に、第２シリンダ作動ＳＷ９５がオンか否か判定され（Ｓ４）、Ｓ４の判定がYes の場合、第２治具検出センサ９２がオンか否か判定される（Ｓ５）。Ｓ５の判定がNoの場合、第３エアシリンダ８５が進退駆動される（Ｓ６）。Ｓ４の判定がNo又はＳ５の判定がYes の場合、第３エアシリンダ８５が作動禁止され、リターンする。
【００７０】
Ｓ６の後、第３治具検出センサ９３がオンか否か判定され（Ｓ７）、Ｓ７の判定がYes の場合、Ｓ５の実行により第３治具検出センサ９３が間もなくオフになるが、それまで第２エアシリンダ８０が作動禁止された状態で待機し、その後、Ｓ７の判定がNoになると、第２エアシリンダ８０が進退駆動され（Ｓ８）、リターンする。このように、第２エアシリンダ８０は、第３エアシリンダ８５の作動と連動して作動することになる。
【００７１】
検査数カウントＳＷ９６は、回収ステージ３４で操作可能にベース台３０に設置され、検査管理表示器９７は、例えば、前記投入設備フレーム３０ａに取付けられている。検査設備制御装置３８は、例えば、計画（検査予定数）、実績（検査完了数）、進度を管理（記憶・更新）し検査管理表示器９４に表示させる。計画については、前記のように操作盤９０で入力することができ、実績については、検査数カウントＳＷ９７がオンされる毎に加算され、進度については、計画と実績等に基づいて算出される。尚、検査設備制御装置３８、操作盤９０は、検査設備フレームＳａに配備されている。
【００７２】
以上説明した遊技機器検査設備Ｓによれば次の作用・効果を奏する。
図３に示すように、この遊技機器検査設備Ｓでは、基本的に、投入ステージ３２に１人の作業者Ｗが配置され、検査ステージ３３に２人の作業者（内右側の１人の作業者はアシスタント）が配置され、回収ステージ３４に１人の作業者Ｗが配置される。
【００７３】
治具循環搬送路４０に装備された複数の検査用パレット治具３１は、治具循環搬送路４０に沿って循環搬送され、そのために、投入ステージ３２の作業者Ｗが、第１シリンダ作動ＳＷ９４の操作により、第１治具押動機構３５で搬送区画４１ａの検査用パレット治具３１を搬送区画４１ｂへ搬送させることができ、第２シリンダ作動ＳＷ９５の操作により、第３治具押動機構３７で搬送区画４１ｊの検査用パレット治具３１を搬送区画４１ａへ搬送させるとともに、第２治具押動機構３６で搬送区画４１ｉ〜４１ｇの検査用パレット治具３１を搬送区画４１ｈ〜４１ｊへ纏めて搬送させることができる。
【００７４】
検査ステージ３３の作業者Ｗは、手動により、搬送区画４１ｄの検査用パレット治具３１を搬送区画４１ｅへ搬送し、搬送区画４１ｃの検査用パレット治具３１を搬送区画４１ｄへ搬送し、また、第１治具押動機構３５を使わずに、搬送区画４１ｂの検査用パレット治具３１を搬送区画４１ｃへ搬送することができる。回収ステージ３４の作業者Ｗは、手動により、搬送区画４１ｆの検査用パレット治具３１を搬送区画４１ｇへ搬送し、搬送区画４１ｅの検査用パレット治具３１を搬送区画４１ｆへ搬送する。こうした複数の検査用パレット治具３１の循環搬送と共に、各ステージにおいて次の作業が行われる。
【００７５】
投入ステージ３２では、作業者Ｗが、搬送区画４１ａの検査用パレット治具３１の倒伏姿勢の遊技盤原板５２の上面に、先ず、液晶ベース２１を装着し、その液晶ベース２１に画像表示器２２を取付けて、液晶ユニット２０の最終組立てと共に検査用パレット治具３１への装着作業を行う。その後、第１，第２シリンダ作動ＳＷ９４，９５を操作して、検査用パレット治具３１の前記自動搬送を実行させる。以上の作業が繰返し行われる。
【００７６】
検査ステージ３３では、作業者Ｗが、搬送区画４１ｃの検査用パレット治具３１に装着された倒伏姿勢の液晶ユニット２０の遊技制御装置２４の接続端子（図示略）に検査接続端子７３を接続した後、液晶ユニット２０を遊技盤原板５２（保持枠５３）と共に起立させ前方に向かしてから、検査操作器７１を操作して、液晶ユニット２０の所定の機能（動作）が正常か否か確認し、その後、液晶ユニット２０を遊技盤原板５２と共に倒伏させてから、検査接続端子５３を分離する。その後、検査用パレット治具３１の前記の手動搬送を行う。以上の作業が繰返し行われる。
【００７７】
回収ステージ３４では、作業者Ｗが、搬送区画４１ｅ又は４１ｆの検査用パレット治具３１から検査済みの液晶ユニット２０を取外して回収する。また、検査用パレット治具３１の前記の手動搬送を行う。以上の作業が繰返し行われる。
【００７８】
このように、複数の検査用パレット治具３１をベース台３０の治具循環搬送路４０に沿って循環搬送して、投入ステージ３２において、検査用パレット治具３１に液晶ユニット２０を装着する作業を、この投入ステージ３２に対応する治具循環搬送路４０上の搬送区画４１ａに検査用パレット治具３１が到着する毎に順次行い、検査ステージ３３において、検査用パレット治具３１に装着された液晶ユニット２０の姿勢を起立姿勢と倒伏姿勢とに亙って切換えて液晶ユニット２０を検査する作業を、この検査ステージ３３に対応する治具循環搬送路４０上の搬送区画４１ｃに検査用パレット治具３１が到着する毎に順次行い、回収ステージ３４において、検査用パレット治具３１から検査済みの液晶ユニット２０を取外して回収する作業を、この回収ステージ３４に対応する治具循環搬送路４０上の搬送区画４１ｅ又は４１ｆに検査用パレット治具３１が到着する毎に順次行い、これら３つのステージ３２，３３，３４で規律のとれた前記作業を行うことができる。
【００７９】
特に、検査ステージ３３では、液晶ユニット２０を検査用パレット治具３１に装着した状態で起倒させて容易に確実に検査することができ、その際、検査用パレット治具３１に装着されている液晶ユニット２０の取扱いも慎重になり過ぎないようにすることができるので、検査ステージ３３での作業負荷を軽減することができる。また、投入ステージ３２では、検査用パレット治具３１に液晶ユニット２０を倒伏姿勢で容易に装着することができ、回収ステージ３４では、検査用パレット治具３１から検査済みの液晶ユニット２０を倒伏姿勢で容易に取外して回収することができ、投入ステージ３２及び回収ステージ３４での作業負荷を軽減することもできる。従って、作業能率を向上させることができる。
【００８０】
治具循環搬送路４０は、各検査用パレット治具３１が滞在可能な搬送区画４１を複数並べて矩形環状の搬送路に構成されたので、この治具循環搬送路４０を形成するベース台３０をコンパクトに構成することができ、つまり、遊技機器検査設備Ｓの設置スペースを小さくすることができて、作業能率の向上を図ることができる。
【００８１】
各検査用パレット治具３１の複数のフリーボールキャスター５１は、平面視矩形の治具ベース５０の４つの頂部に位置し、治具循環搬送路４０は、その搬送路面４２に設けられ各検査用パレット治具３１のフリーボールキャスター５１が転動する合成樹脂製のキャスター転動面４５，４６を有するので、キャスター転動面４５，４６を容易に設けることができ、そして、フリーボールキャスター５１が搬送路面４２（キャスター転動面４５，４６）を転動する際の騒音を抑制することができる。
【００８２】
治具循環搬送路４０の複数の搬送区画４１のうち４つの角部搬送区画４１ａ，４１ｅ，４１ｆ，４１ｊに検査用パレット治具３１を位置決め可能に、フリーボールキャスター５１が嵌合する窪み部４７をキャスター転動面４５，４６に形成したので、検査用パレット治具３１を搬送区画４１ａ，４１ｅ，４１ｆ，４１ｊに確実に滞在させることができ、これにより、他の搬送区画４１ｂ〜４１ｄ，４１ｇ〜４１ｉにも検査用パレット治具３１を確実に滞在させることができ、これにより、複数の検査用パレット治具３１の循環搬送を確実に円滑に行い、各ステージ３２，３３，３４での作業を確実に行うことができる。
【００８３】
搬送区画４１ａに滞在する検査用パレット治具３１を搬送方向下流側の搬送区画４１ｂへ押動する第１治具押動機構３５、搬送区画４１ｇに滞在する検査用パレット治具３１を搬送方向下流側の搬送区画４１ｈへ押動する第２治具押動機構３６、搬送区画４１ｊに滞在する検査用パレット治具３１を搬送方向下流側の搬送区画４１ａへ押動する第３治具押動機構３６を備えたので、作業負荷の軽減を図り、必要最小人数（例えば、４人程度）の作業者Ｗにより、この遊技機器検査設備Ｓを稼働させることができる。
【００８４】
各検査用パレット治具３１においては、液晶ユニット２０を着脱可能な遊技盤原板５２が遊技盤４の原板と同構造であるため、パチンコ遊技機１の製造にあたって量産された多数の遊技盤４の原板の１つを遊技盤原板５２として使用することができ、故に、この遊技盤原板５２に液晶ユニット２０を確実に装着することができ、しかも、遊技盤原板５２を検査用に別途製作する必要がないため、検査用パレット治具３１の製作コストを低減することができ、遊技機器検査設備Ｓの設備コストを安価にすることができる。
【００８５】
しかも、起倒機構５５により、遊技盤原板５２に装着された液晶ユニット２０を、遊技盤原板５２及び保持枠５３と共に起倒させることができるので、投入ステージ３２での液晶ユニット２０の装着作業、検査ステージ３３での液晶ユニット２０の検査作業、回収ステージ３４での液晶ユニット２０の取外し回収作業を容易に行うことができ、作業能率の向上を図ることができる。
【００８６】
しかも、遊技盤原板５２を保持枠５３に着脱可能に装着するため、種々の機種に応じた遊技盤原板を容易に適用することができる。つまり、検査用パレット治具３１の汎用性が高くなり、検査用パレット治具３１の製作コストを低減すること、つまり遊技機器検査設備Ｓの設備コストを安価にすることができる。
【実施例２】
【００８７】
実施例２は、実施例１の遊技機器検査設備Ｓの複数の検査用パレット治具３１を複数の検査用パレット治具３１Ａに変更したものである。尚、検査用パレット治具３１Ａの構造の説明では、図１４〜図１６に示す状態での前方・上方を前方・上方として説明し、また、実施例１と基本的に同じものについては同一符号を付し、その説明を適宜省略する。
【００８８】
図１４〜図１８に示すように、複数の検査用パレット治具３１Ａは、夫々、実施例１の検査用パレット治具３１の起倒機構５５を変更したものであり、治具ベース５０、複数（４個）のフリーボールキャスター５１、遊技盤原板５２、保持枠５３、１対のロック機構（図示略）、起倒機構５５Ａを備え、液晶ユニット２０を遊技盤原板５２に着脱可能で且つ液晶ユニット２０を遊技盤原板５２に装着した状態で遊技盤４に実装する姿勢と同じ起立姿勢（図１４〜図１６に示す姿勢）と倒伏姿勢（図１８に示す姿勢）とに亙って切換え可能に構成されている。
【００８９】
起倒機構５５Ａは、遊技盤原板５２に装着された液晶ユニット２０を起立姿勢と倒伏姿勢とに亙って、遊技盤原板５２及び保持枠５３と共に起倒可能に保持枠５３を治具ベース５０に連結する機構であり、１対の支持脚１００、１対の中間支持部材１０１、１対の軸部材１０２、１対の平行リンク機構１０３、１対のピン部材１０４、１対のバー部材１０５を備え、治具ベース５０には被押動部５６が設けられている。上記構成１００〜１０５は、夫々、左右対称に１対設けられている。
【００９０】
１対の支持脚１００は、保持枠５３の左右両端側（幅方向両端側）に配置されて、治具ベース５０の１対のフレーム部材５０ａにその前後方向中央部分から立設されている。１対の中間支持部材１０１は、支持脚１００よりも少し短い上下方向向きの部材からなり、１対の支持脚１００の後側に配設され、この１対の中間支持部材１０１の下端部同士が水平連結部材１０１ａにより連結されている。
【００９１】
この１対の中間支持部材１０１の上端部分に、保持枠５３の１対のフレーム部材５３ａの前後方向中央部よりも少し後側部分（長さ方向中間部分）が１対の左右方向向きの軸部材１０２により水平軸心回りに回動自在に支持されている。
【００９２】
１対の平行リンク機構１０３は、夫々、１対の支持脚１００及び１対の中間支持部材１０１の左右方向外側に配設された上下２つの平行に配置されたリンク部材１０３ａを有し、各平行リンク機構１０３のリンク部材１０３ａの両端部が、支持脚１００の下部と中間支持部材１０１の下部とに回動自在に連結されている。
【００９３】
起倒機構５５Ａは、１対の中間支持部材１０１を１対の平行リンク機構１０３を介して１対の支持脚１００と平行を維持し、前後方向の位置を変動させつつ上下動させながら保持枠５３を１対の軸部材１０２を中心として回動させて起倒させる。
【００９４】
１対のピン部材１０４は、夫々保持枠５３の１対のフレーム部材５３ａの後端部分（幅方向両端部の起立姿勢における下側部分）から、保持枠５３の左右方向外側へ突出している。１対の支持脚１００及び１対の中間支持部材１０１と保持枠５３との間には少しの隙間があり、１対のピン部材１０４は、支持脚１００及び中間支持部材１０１と干渉しない程度に前記隙間に突出している。例えば、ピン部材１０４をネジ部材で構成してもよい。
【００９５】
１対のバー部材１０５は、治具ベース５０に固定的に設けられ１対の中間支持部材１０１を上下動させる際に保持枠５３の姿勢を切換えつつ１対のピン部材１０４を夫々スライド自在にガイド支持して保持枠５３を起倒させるものであり、保持枠５３が起立する際に１対のピン部材１０４が移動する方向（前方）に向かって斜め下側に傾斜している。ここで、治具ベース５０の１対のフレーム部材５０ａにその後端部から１対の脚柱部材１０６が立設されている。１対のバー部材１０５は、１対の支持脚１００の左右方向内側部分と１対の脚柱部材１０６の左右方向内側部分とにビス等で固定されている。
【００９６】
検査用パレット治具３１Ａの作用・効果について説明する。
先ず、保持枠５３（遊技盤原板５２）が図１６に示す倒伏姿勢のとき、中間支持部材１０１が支持脚１００の上端よりも下方に位置し、ピン部材１０４はバー部材１０５の後側部分に位置する。ここで、図１６に示すように、保持枠５３を倒伏姿勢に保持するために、保持枠５３のうち軸部材１０２よりも前側部分を下側から支持する第１倒伏姿勢保持部材１０７が支持脚１００に取付けられ、保持枠５３の後端部分を上側から受止める第２倒伏姿勢保持部材１０８が脚柱部材１０６に取付けられている。尚、第２倒伏姿勢保持部材１０８については省略可能である。
【００９７】
次に、倒伏姿勢の保持枠５３をその前端部を掴んで引上げるように回動操作すると、保持枠５３が図１７の状態を経て図１８に示す起倒姿勢に切換わる。その際、ピン部材１０４がバー部材１０５上を前方へスライドしながら、保持枠５３がピン部材１０４を中心に上方へ回動し、それに伴って、中間支持部材１０１が上方へ引上げられ支持脚１００に接近するように移動する。バー部材１０５が前方に向かって斜め下側に傾斜しているため、ピン部材１０４はバー部材１０５上を前方へ円滑にスライドする。
【００９８】
保持枠５３が図１８に示す起立姿勢のとき、中間支持部材１０１が支持脚１００に略当接して支持脚１００の上端よりも上方の上限位置に位置し、ピン部材１０４はバー部材１０５の前側部分に位置する。ここで、図１８に示すように、保持枠５３を起立姿勢に保持するために、保持枠５３の下側部分を前側から受止める起倒姿勢保持部材１０９が支持脚１００に取付けられている。そして、バー部材１０５が前方に向かって斜め下側に傾斜しているので、そのバー部材１０５に係合しているピン部材１０４も、保持枠５３を軸部材１０２を中心に回動させないようにするストッパとして機能するため、保持枠５３が起立姿勢に確実に保持される。
【００９９】
結局、保持枠５３は軸部材１０２を中心に回動して起倒することになるが、その際、軸部材１０２（中間支持部材１０１）も上下動し、その軸部材１０２の高さ位置は倒伏姿勢における位置よりも起立姿勢における位置の方が高くなるため、起立姿勢の保持枠５３の位置は、実施例１の検査用パレット治具３１の起立姿勢の保持枠５３の位置よりも高くなる。尚、起立姿勢の保持枠５３をその上端部を掴んで引下げるように回動操作すると、前記とは逆に保持枠５３が図１７の状態を経て図１６に示す倒伏姿勢に切換わる。
【０１００】
この検査用パレット治具３１Ａによれば、起立姿勢の保持枠５３の高さ位置を高くすることができるため、次の点で有利になる。即ち、投入ステージ３２で検査用パレット治具３２に液晶ユニット２０を装着する場合、また、回収ステージ３４で検査用パレット治具３２から液晶ユニット２０を取外して回収する場合、これら両ステージ３２，３４の作業者Ｗの作業能率を高める（即ち、労力軽減する）うえで、作業者Ｗの腰あたりの高さ位置に倒伏姿勢の保持枠５３（遊技盤原板５２）を位置させるのが最適である。
【０１０１】
一方、検査ステージ３３で液晶ユニット２０を検査する場合、この検査ステージ３３の作業者Ｗの作業能率を高めるうえで、作業者Ｗの腰あたりの高さ位置に起立姿勢の保持枠５３の下部を位置させるのが最適である。実施例１のように、保持枠５３を単に軸部材６１を中心回動させて起倒させるのでは、全作業者Ｗにおいて前記最適な位置を確保するために、投入ステージ３２と回収ステージ３４の作業者Ｗの立ち位置を高くする必要がある。そのために、投入ステージ３２と回収ステージ３４に作業台を設置し対応することができるが、その作業台に載った作業者Ｗの作業安定性の面で問題になる。
【０１０２】
この検査用パレット治具３１Ａでは、起立姿勢の保持枠５３の高さ位置を高くすることができるため、前記作業台を不必要とし、即ち、全作業者Ｗの立ち位置を同一高さの地面として、前記課題を解消することができる。即ち、前記作業台が不要になり、作業安定性を改善して、全作業者Ｗの作業能率を高めることができ、しかも、前記作業台が不要になることから、そして、治具循環搬送路４０の高さ位置を低くすることができるため、この治具循環搬送路４０を形成したベース台３０のコンパクト化と安定した設置を図り、また、検査用パレット治具３１Ａの搬送の安定化を図り、更に、遊技機器検査設備Ｓの設備コストの面でも有利になる。その他は実施例１と同様の効果を奏する。
【０１０３】
その他、本発明の趣旨を逸脱しない範囲において種々の変更を付加して実施可能である。例えば、液晶ユニット２０に限らず、複数の回転ドラム又はＬＥＤディスプレイを含む演出ユニットを検査する遊技機器検査設備に適用可能であるし、こうした演出ユニット以外の遊技機器を検査する遊技機器検査設備に適用可能である。
【符号の説明】
【０１０４】
Ｓ  遊技機器検査設備
１  パチンコ遊技機
４  遊技盤
２０  液晶ユニット
３０  ベース台
３１, ３１Ａ  検査用パレット治具
３２  投入ステージ
３３  検査ステージ
３４  回収ステージ
３５，３６，３７  第１，第２，第３治具押動機構
３８  検査設備制御装置
４０  治具循環搬送路
４１（４１ａ〜４１ｊ）  搬送区画
４２  搬送路面
４５，４６  キャスター転動面
４７  窪み部
５０  治具ベース
５１  フリーボールキャスター
５２  遊技盤原板
５３  保持枠
５４  ロック機構
５５，５５Ａ  起倒機構
５６  被押動部
７５，８０，８５  第１，第２，第３エアシリンダ
８１  出力部
８２  係合部材
８３  付勢部材
１００  支持脚
１０１  中間支持部材
１０２  軸部材
１０３  平行リンク機構
１０４  ピン部材
１０５  バー部材
【図１】
0005121919.tif 000002
【図２】
0005121919.tif 000003
【図３】
0005121919.tif 000004
【図４】
0005121919.tif 000005
【図５】
0005121919.tif 000006
【図６】
0005121919.tif 000007
【図７】
0005121919.tif 000008
【図８】
0005121919.tif 000009
【図９】
0005121919.tif 000010
【図１０】
0005121919.tif 000011
【図１１】
0005121919.tif 000012
【図１２】
0005121919.tif 000013
【図１３】
0005121919.tif 000014
【図１４】
0005121919.tif 000015
【図１５】
0005121919.tif 000016
【図１６】
0005121919.tif 000017
【図１７】
0005121919.tif 000018
【図１８】
0005121919.tif 000019
【図１９】
0005121919.tif 000020
【図２０】
0005121919.tif 000021
【図２１】
0005121919.tif 000022
【図２２】
0005121919.tif 000023